【手続補正書】
【提出日】平成18年9月26日(2006.9.26)
【手続補正１】
【補正対象書類名】明細書
【補正対象項目名】特許請求の範囲
【補正方法】変更
【補正の内容】
【特許請求の範囲】
【請求項１】
（１）戸外の「セキュリティの観点から安全と言える、安全領域」を記録するための安全領域記録手段と、
（２）戸外に居る対象者の現在位置を取得するための現在位置取得手段と、
（３）前記現在位置取得手段により取得された対象者の現在位置が前記安全領域記録手段に記録された安全領域の外に在るとき、又は前記現在位置取得手段により取得された対象者の現在位置が前記安全領域記録手段に記録された安全領域の内から外に移動したとき、そのこと又はそのときの対象者の現在位置データを、予め決められた報知先に知らせるための報知手段と、
を含むことを特徴とする、携帯型機器を利用した安全システム。
【請求項２】
（１）戸外の「セキュリティの観点から安全と言える安全領域」もしくは「セキュリティの観点から安全とは言えない危険領域」の範囲内と範囲外とを区別するための位置データを記録するための安全領域位置データ記録手段と、
（２）戸外に居る対象者の現在位置を取得するための現在位置取得手段と、
（３）前記現在位置取得手段により取得された対象者の現在位置が前記安全領域位置データ記録手段に記録された「安全領域の範囲外」もしくは「危険領域の範囲内」に在るとき、又は前記現在位置取得手段により取得された対象者の現在位置が前記安全領域位置データ記録手段に記録された「安全領域の範囲の内から外に移動した」もしくは「危険領域の範囲の外から内に移動した」とき、そのこと又はそのときの対象者の現在位置データを、予め決められた報知先に知らせるための報知手段と、
を含むことを特徴とする、携帯型機器を利用した安全システム。
【請求項３】
（１）戸外の「セキュリティの観点から安全と言えない、危険領域」を記録するための危険領域記録手段と、
（２）戸外に居る対象者の現在位置を取得するための現在位置取得手段と、
（３）前記現在位置取得手段により取得された対象者の現在位置が、前記危険領域記録手段に記録された危険領域の範囲内に在るとき又は範囲内となったとき、そのこと又はそのときの対象者の現在位置データを、予め決められた報知先に知らせるための報知手段と、
を含むことを特徴とする、携帯型機器を利用した安全システム。
【請求項４】
（１）戸外の「セキュリティの観点から安全と言える、安全領域」を記録するための安全領域記録手段と、
（２）戸外に居る対象者の現在位置を取得するための現在位置取得手段と、
（３）前記対象者が保持・携帯又は装着し、前記対象者又はその周囲の状況を撮像するための撮像手段と、
（４）前記現在位置取得手段により取得された対象者の現在位置が前記安全領域記録手段に記録された安全領域の外に在るとき、又は前記現在位置取得手段により取得された対象者の現在位置が前記安全領域記録手段に記録された安全領域の内から外に移動したとき、前記撮像手段により撮像された映像を、予め決められた送信先に送信するための映像送信手段と、
を含むことを特徴とする、携帯型機器を利用した安全システム。
【請求項５】
（１）戸外の「セキュリティの観点から安全と言える安全領域」もしくは「セキュリティの観点から安全とは言えない危険領域」の範囲内と範囲外とを区別するための位置データを記録するための安全領域位置データ記録手段と、
（２）戸外に居る対象者の現在位置を取得するための現在位置取得手段と、
（３）前記対象者が保持・携帯又は装着し、前記対象者又はその周囲の状況を撮像するための撮像手段と、
（４）前記現在位置取得手段により取得された対象者の現在位置が前記安全領域位置データ記録手段に記録された「安全領域の範囲外」もしくは「危険領域の範囲内」に在るとき、又は前記現在位置取得手段により取得された対象者の現在位置が前記安全領域位置データ記録手段に記録された「安全領域の範囲の内から外に移動した」もしくは「危険領域の範囲の外から内に移動した」とき、前記撮像手段により撮像された映像を、予め決められた送信先に送信するための映像送信手段と、
を含むことを特徴とする、携帯型機器を利用した安全システム。
【請求項６】
（１）戸外の「セキュリティの観点から安全と言えない、危険領域」を記録するための危険領域記録手段と、
（２）戸外に居る対象者の現在位置を取得するための現在位置取得手段と、
（３）前記対象者が保持・携帯又は装着し、前記対象者又はその周囲の状況を撮像するための撮像手段と、
（４）前記現在位置取得手段により取得された対象者の現在位置が、前記危険領域記録手段に記録された危険領域の範囲内に在るとき又は範囲内となったとき、前記撮像手段により撮像された映像を、予め決められた送信先に送信するための映像送信手段と、
を含むことを特徴とする、携帯型機器を利用した安全システム。
【手続補正２】
【補正対象書類名】明細書
【補正対象項目名】００１５
【補正方法】変更
【補正の内容】
【００１５】
なお、上記５，６及び７の発明の中の「安全領域範囲記録手段」及び「安全範囲の内か外かを判断する手段」については、例えば、特開平９−１８５５５４号公報（発明の名称：情報保護装置）の中の特許請求の範囲の請求項１に記載されている、「前記情報処理装置が移動可能な範囲を決定し記憶する範囲決定／記憶手段」及び「前記位置検出手段によって検出された現在位置が、範囲決定／記憶手段に記憶された範囲内であるか否かを判定する判定手段」の構成などが、参考になる。
また、本願の特許請求の範囲に記載された発明は、次のとおりである。
１．（１）戸外の「セキュリティの観点から安全と言える、安全領域」を記録するための安全領域記録手段と、（２）戸外に居る対象者の現在位置を取得するための現在位置取得手段と、（３）前記現在位置取得手段により取得された対象者の現在位置が前記安全領域記録手段に記録された安全領域の外に在るとき、又は前記現在位置取得手段により取得された対象者の現在位置が前記安全領域記録手段に記録された安全領域の内から外に移動したとき、そのこと又はそのときの対象者の現在位置データを、予め決められた報知先に知らせるための報知手段と、を含むことを特徴とする、携帯型機器を利用した安全システム。
２．（１）戸外の「セキュリティの観点から安全と言える、安全領域」の範囲内と範囲外とを区別するための位置データを記録するための安全領域位置データ記録手段と、（２）戸外に居る対象者の現在位置を取得するための現在位置取得手段と、（３）前記現在位置取得手段により取得された対象者の現在位置が前記安全領域位置データ記録手段に記録された安全領域の範囲外に在るとき、又は前記現在位置取得手段により取得された対象者の現在位置が前記安全領域位置データ記録手段に記録された安全領域の範囲の内から外に移動したとき、そのこと又はそのときの対象者の現在位置データを、予め決められた報知先に知らせるための報知手段と、を含むことを特徴とする、携帯型機器を利用した安全システム。
３．（１）戸外の「セキュリティの観点から安全と言えない、危険領域」を記録するための危険領域記録手段と、（２）戸外に居る対象者の現在位置を取得するための現在位置取得手段と、（３）前記現在位置取得手段により取得された対象者の現在位置が、前記危険領域記録手段に記録された危険領域の範囲内に在るとき又は範囲内となったとき、そのこと又はそのときの対象者の現在位置データを、予め決められた報知先に知らせるための報知手段と、を含むことを特徴とする、携帯型機器を利用した安全システム。
４．（１）戸外の「セキュリティの観点から安全と言える、安全領域」を記録するための安全領域記録手段と、（２）戸外に居る対象者の現在位置を取得するための現在位置取得手段と、（３）前記対象者が保持・携帯又は装着し、前記対象者又はその周囲の状況を撮像するための撮像手段と、（４）前記現在位置取得手段により取得された対象者の現在位置が前記安全領域記録手段に記録された安全領域の外に在るとき、又は前記現在位置取得手段により取得された対象者の現在位置が前記安全領域記録手段に記録された安全領域の内から外に移動したとき、前記撮像手段により撮像された映像を、予め決められた送信先に送信するための映像送信手段と、を含むことを特徴とする、携帯型機器を利用した安全システム。
５．（１）戸外の「セキュリティの観点から安全と言える、安全領域」の範囲内と範囲外とを区別するための位置データを記録するための安全領域位置データ記録手段と、（２）戸外に居る対象者の現在位置を取得するための現在位置取得手段と、（３）前記対象者が保持・携帯又は装着し、前記対象者又はその周囲の状況を撮像するための撮像手段と、（４）前記現在位置取得手段により取得された対象者の現在位置が前記安全領域位置データ記録手段に記録された安全領域の範囲外に在るとき、又は前記現在位置取得手段により取得された対象者の現在位置が前記安全領域位置データ記録手段に記録された安全領域の範囲の内から外に移動したとき、前記撮像手段により撮像された映像を、予め決められた送信先に送信するための映像送信手段と、を含むことを特徴とする、携帯型機器を利用した安全システム。
６．（１）戸外の「セキュリティの観点から安全と言えない、危険領域」を記録するための危険領域記録手段と、（２）戸外に居る対象者の現在位置を取得するための現在位置取得手段と、（３）前記対象者が保持・携帯又は装着し、前記対象者又はその周囲の状況を撮像するための撮像手段と、（４）前記現在位置取得手段により取得された対象者の現在位置が、前記危険領域記録手段に記録された危険領域の範囲内に在るとき又は範囲内となったとき、前記撮像手段により撮像された映像を、予め決められた送信先に送信するための映像送信手段と、を含むことを特徴とする、携帯型機器を利用した安全システム。